(57)【要約】  品物を保持するための輸送用コンテナの中に設置するための断熱物品は、直方体の輸送用コンテナのキャビティーの中に位置決めされるように形状決めされているマルチセクション断熱パッド形状を含む。パッドは、穀物スターチから主に形成された複数のソリッドで堆肥化可能なパネルセクションと、複数のパネルセクションを封入するポケットを形成する堆肥化可能な防水フィルムまたはポリエチレン防水フィルムとを含む。それぞれのパネルセクションは、単一のユニットとしてまとまっており、それぞれのパネルセクションは、長方形プレートを提供し、長方形プレートは、長方形プレートが隣接している床部、複数の側壁部、またはカバーのいずれであっても、実質的にその範囲に広がるように寸法決めされている。パッドは、パネルセクション同士の間の境界線に沿って直角に折り畳むことができるように構成されている。フィルムは、パッドが折り畳まれる場合に、パッドの内部表面および外部表面の両方を提供する。【選択図】図１
2019518681.tif 000002
【特許請求の範囲】
【請求項１】
品物を保持するための輸送用コンテナであって、前記輸送用コンテナは、
外部ボックスであって、前記外部ボックスは、その中にキャビティーを画定するための床部および複数の側壁部を有しており、前記ボックスの上部において、前記キャビティーに対する開口部を有している、外部ボックスと、
前記ボックスの前記上部を閉鎖するためのカバーと、
前記キャビティーの中に位置決めされる複数の断熱パッドであって、前記床部、複数の側壁部、およびカバーのそれぞれが、前記複数の断熱パッドのうちの１つのパッドに隣接するように、および、前記複数の断熱パッドのうちの１つのパッドによってカバーされるように、前記複数の断熱パッドは位置決めされており、前記複数の断熱パッドは、前記品物を受け入れるための内部スペースを提供するように形状決めされている、複数の断熱パッドと
を含み、
前記複数の断熱パッドのそれぞれのパッドは、
単一のユニットとしてまとまっているスターチから主に形成されたソリッドで堆肥化可能なパネルであって、前記パネルは、長方形プレートを提供し、前記長方形プレートは、前記長方形プレートが隣接している前記床部、複数の側壁部、またはカバーのいずれであっても、実質的にその範囲に広がるように寸法決めされている、ソリッドで堆肥化可能なパネルと、
前記パネルを封入するポケットを形成する堆肥化可能な防水フィルムと
を含み、
前記複数の断熱パッドのうちの少なくとも１つは、複数の長方形パネルセクションを含み、前記パッドは、前記パネルセクション同士の間の境界線に沿って直角に折り畳まれており、それぞれのパネルセクションは、前記複数のプレートが隣接している前記床部、複数の側壁部、またはカバーのいずれであっても、実質的にその範囲に広がるように寸法決めされており、前記フィルムは、前記パッドが折り畳まれる場合に、前記パッドの内部表面および前記パッドの外部表面の両方を提供する、輸送用コンテナ。
【請求項２】
品物を保持するための輸送用コンテナであって、前記輸送用コンテナは、
外部ボックスであって、前記外部ボックスは、その中にキャビティーを画定するための床部および複数の側壁部を有しており、前記ボックスの上部において、前記キャビティーに対する開口部を有している、外部ボックスと、
前記ボックスの前記上部を閉鎖するためのカバーと、
前記キャビティーの中に位置決めされる複数の断熱パッドであって、前記床部、複数の側壁部、およびカバーのそれぞれが、前記複数の断熱パッドのうちの１つのパッドに隣接するように、および、前記複数の断熱パッドのうちの１つのパッドによってカバーされるように、前記複数の断熱パッドは位置決めされており、前記複数の断熱パッドは、前記品物を受け入れるための内部スペースを提供するように形状決めされている、複数の断熱パッドと
を含み、
前記複数の断熱パッドのそれぞれのパッドは、
単一のユニットとしてまとまっているスターチから主に形成されたソリッドで堆肥化可能なパネルであって、前記パネルは、長方形プレートを提供し、前記長方形プレートは、前記長方形プレートが隣接している前記床部、複数の側壁部、またはカバーのいずれであっても、実質的にその範囲に広がるように寸法決めされている、ソリッドで堆肥化可能なパネルと、
前記パネルを封入するポケットを形成する防水ポリエチレンフィルムと
を含み、
前記複数の断熱パッドのうちの少なくとも１つは、複数の長方形パネルセクションを含み、前記パッドは、前記パネルセクション同士の間の境界線に沿って直角に折り畳まれており、それぞれのパネルセクションは、前記複数のプレートが隣接している前記床部、複数の側壁部、またはカバーのいずれであっても、実質的にその範囲に広がるように寸法決めされており、前記フィルムは、前記パッドが折り畳まれる場合に、前記パッドの内部表面および前記パッドの外部表面の両方を提供する、輸送用コンテナ。
【請求項３】
品物を保持するための輸送用コンテナの中に設置するための断熱アッセンブリであって、前記断熱アッセンブリは、
複数の断熱パッドであって、前記複数の断熱パッドは、直方体の輸送用コンテナのキャビティーの中に位置決めされるように形状決めされており、前記コンテナの床部、複数の側壁部、およびカバーのそれぞれが、前記複数の断熱パッドのうちの１つのパッドに隣接するように、および、前記複数の断熱パッドのうちの１つのパッドによってカバーされるようになっており、内部スペースが、前記品物を受け入れるために設けられている、複数の断熱パッドを含み、
前記複数の断熱パッドのそれぞれのパッドは、
単一のユニットとしてまとまっている穀物スターチから主に形成されたソリッドで堆肥化可能なパネルであって、前記パネルは、長方形プレートを提供し、前記長方形プレートは、前記長方形プレートが隣接している前記床部、複数の側壁部、またはカバーのいずれであっても、実質的にその範囲に広がるように寸法決めされている、ソリッドで堆肥化可能なパネルと、
前記パネルを封入するポケットを形成する堆肥化可能な防水フィルムと
を含み、
前記複数の断熱パッドのうちの少なくとも１つは、前記フィルムによって封入された複数の長方形パネルセクションを含むマルチセクションパッドであり、前記マルチセクションパッドは、前記パネルセクション同士の間の境界線に沿って直角に折り畳むことができるように構成されており、それぞれのパネルセクションは、前記複数の長方形パネルセクションが隣接している前記床部、複数の側壁部、またはカバーのいずれであっても、実質的にその範囲に広がるように寸法決めされており、前記フィルムは、前記パッドが折り畳まれる場合に、前記マルチセクションパッドの内部表面および前記マルチセクションパッドの外部表面の両方を提供する、断熱アッセンブリ。
【請求項４】
品物を保持するための輸送用コンテナの中に設置するための断熱アッセンブリであって、前記断熱アッセンブリは、
複数の断熱パッドであって、前記複数の断熱パッドは、直方体の輸送用コンテナのキャビティーの中に位置決めされるように形状決めされており、前記コンテナの床部、複数の側壁部、およびカバーのそれぞれが、前記複数の断熱パッドのうち１つのパッドに隣接するように、および、前記複数の断熱パッドのうち１つのパッドによってカバーされるようになっており、内部スペースが、前記品物を受け入れるために設けられている、複数の断熱パッドを含み、
前記複数の断熱パッドのそれぞれのパッドは、
単一のユニットとしてまとまっている穀物スターチから主に形成されたソリッドで堆肥化可能なパネルであって、前記パネルは、長方形プレートを提供し、前記長方形プレートは、前記長方形プレートが隣接している前記床部、複数の側壁部、またはカバーのいずれであっても、実質的にその範囲に広がるように寸法決めされている、ソリッドで堆肥化可能なパネルと、
前記パネルを封入するポケットを形成する防水ポリエチレンフィルムと
を含み、
前記複数の断熱パッドのうちの少なくとも１つは、前記フィルムによって封入された複数の長方形パネルセクションを含むマルチセクションパッドであり、前記マルチセクションパッドは、前記パネルセクション同士の間の境界線に沿って直角に折り畳むことができるように構成されており、それぞれのパネルセクションは、前記複数の長方形パネルセクションが隣接している前記床部、複数の側壁部、またはカバーのいずれであっても、実質的にその範囲に広がるように寸法決めされており、前記フィルムは、前記パッドが折り畳まれる場合に、前記マルチセクションパッドの内部表面および前記マルチセクションパッドの外部表面の両方を提供する、断熱アッセンブリ。
【請求項５】
前記ポケットの内部は、真空にされている、請求項３または４に記載のアッセンブリ。
【請求項６】
前記パネルは、前記ポケットの中でスライド可能である、請求項３または４に記載のアッセンブリ。
【請求項７】
前記フィルムは、接着剤によって、前記パネルの内部表面または外部表面のうちの少なくとも１つの上に貼り付けられている、請求項３または４に記載のアッセンブリ。
【請求項８】
前記接着剤は、水にさらされる前記パネルの一部分であり、前記パネルの前記一部分の中の前記スターチが粘着性を有するようになっている、請求項７に記載のアッセンブリ。
【請求項９】
前記複数の断熱パッドのうちの前記少なくとも１つは、前記パネルの内部表面上の少なくとも１つの場所において、その幅を横切る刻み目を含み、前記刻み目は、前記マルチセクションパネルの厚さを通って、全体的にではないが、部分的に延在しており、前記パネルを前記複数の長方形パネルセクションに分割している、請求項３または４に記載のアッセンブリ。
【請求項１０】
前記刻み目は、マルチセクション本体部の圧縮された部分を含む、請求項９に記載のアッセンブリ。
【請求項１１】
前記刻み目は、マルチセクション本体部のカットアウト部分を含む、請求項９に記載のアッセンブリ。
【請求項１２】
前記スターチは、穀物スターチ、根茎スターチ、野菜スターチ、または、それらの組み合わせを含む、請求項３または４に記載のアッセンブリ。
【請求項１３】
前記スターチは、コーンスターチ、小麦スターチ、または、粉砕されたモロコシを含む、請求項１２に記載のアッセンブリ。
【請求項１４】
それぞれのパッドの前記パネルは、均一な均質組成を有している、請求項３または４に記載のアッセンブリ。
【請求項１５】
前記複数の長方形パネルセクションは、単一の単体本体の一部である、請求項３または４に記載のアッセンブリ。
【請求項１６】
品物を保持するための輸送用コンテナの中に設置するための断熱物品であって、前記断熱物品は、
マルチセクション断熱パッドであって、直方体の輸送用コンテナのキャビティーの中に位置決めされるように形状決めされており、前記品物を受け入れるための内部スペースを残しながら、前記コンテナの床部、４つの側壁部、およびカバーのうちの２つから５つに隣接してカバーする、マルチセクション断熱パッドを含み、
前記断熱パッドは、
穀物スターチから主に形成された複数のソリッドで堆肥化可能なパネルセクションであって、それぞれのパネルセクションは、単一のユニットとしてまとまっており、それぞれのパネルセクションは、長方形プレートを提供し、前記長方形プレートは、前記長方形プレートが隣接している前記床部、複数の側壁部、またはカバーのいずれであっても、実質的にその範囲に広がるように寸法決めされている、複数のソリッドで堆肥化可能なパネルセクションと、
前記複数のパネルセクションを封入するポケットを形成する堆肥化可能な防水フィルムと
を含み、
前記マルチセクション断熱パッドは、前記パネルセクション同士の間の境界線に沿って直角に折り畳むことができるように構成されており、前記フィルムは、前記マルチセクション断熱パッドが折り畳まれる場合に、前記マルチセクション断熱パッドの内部表面および前記マルチセクション断熱パッドの外部表面の両方を提供する、断熱物品。
【請求項１７】
品物を保持するための輸送用コンテナの中に設置するための断熱物品であって、前記断熱物品は、
マルチセクション断熱パッドであって、直方体の輸送用コンテナのキャビティーの中に位置決めされるように形状決めされており、前記品物を受け入れるための内部スペースを残しながら、前記コンテナの床部、４つの側壁部、およびカバーのうちの２つから５つに隣接してカバーする、マルチセクション断熱パッドを含み、
前記断熱パッドは、
穀物スターチから主に形成された複数のソリッドで堆肥化可能なパネルセクションであって、それぞれのパネルセクションは、単一のユニットとしてまとまっており、それぞれのパネルセクションは、長方形プレートを提供し、前記長方形プレートは、前記長方形プレートが隣接している前記床部、複数の側壁部、またはカバーのいずれであっても、実質的にその範囲に広がるように寸法決めされている、複数のソリッドで堆肥化可能なパネルセクションと、
前記複数のパネルセクション封入するポケットを形成する防水ポリエチレンフィルムと
を含み、
前記マルチセクション断熱パッドは、前記パネルセクション同士の間の境界線に沿って直角に折り畳むことができるように構成されており、前記フィルムは、前記マルチセクション断熱パッドが折り畳まれる場合に、前記マルチセクション断熱パッドの内部表面および前記マルチセクション断熱パッドの外部表面の両方を提供する、断熱物品。
【請求項１８】
前記ポケットの内部は、真空にされている、請求項１６または１７に記載の物品。
【請求項１９】
前記複数のソリッドで堆肥化可能なパネルセクションは、前記ポケットの中でスライド可能である、請求項１６または１７に記載の物品。
【請求項２０】
前記フィルムは、前記パネルセクションのうちの１つまたは複数の内部表面または外部表面のうちの少なくとも１つの上に貼り付けられている、請求項１６または１７に記載の物品。
【請求項２１】
前記複数のソリッドで堆肥化可能なパネルセクションは、単一の単体本体の一部である、請求項１６または１７に記載の物品。
【請求項２２】
前記単体本体は、前記パネルの内部表面の上の少なくとも１つの場所において、その幅を横切る刻み目を有するパネルを含み、前記刻み目は、前記パネルの厚さを通って、全体的にではないが、部分的に延在しており、前記パネルを前記複数のパネルセクションに分割している、請求項２１に記載の物品。
【請求項２３】
前記刻み目は、マルチセクション本体部の圧縮された部分を含む、請求項２２に記載の物品。
【請求項２４】
前記刻み目は、マルチセクション本体部のカットアウト部分を含む、請求項２２に記載の物品。
【請求項２５】
前記複数のソリッドで堆肥化可能なパネルセクションは、約１／４インチから１インチの間の厚さをそれぞれ有している、請求項１６または１７に記載の物品。
【請求項２６】
前記複数のソリッドで堆肥化可能なパネルセクションは、約０．６ｇ／ｃｍ３から３．５ｇ／ｃｍ３の密度をそれぞれ有している、請求項１６または１７に記載の物品。
【請求項２７】
前記複数のソリッドで堆肥化可能なパネルセクションのうちの１つまたは複数の１つまたは複数の表面は、波形である、請求項１６または１７に記載の物品。
【請求項２８】
前記スターチは、穀物スターチ、根茎スターチ、野菜スターチ、または、それらの組み合わせを含む、請求項１６または１７に記載の物品。
【請求項２９】
前記スターチは、コーンスターチ、小麦スターチ、または、粉砕されたモロコシを含む、請求項２８に記載の物品。
【請求項３０】
前記マルチセクション断熱パッドは、複数のスタックされたパネルを含む、請求項１６または１７に記載の物品。
【発明の詳細な説明】
【技術分野】
【０００１】
本発明は、断熱された輸送用コンテナに関し、より具体的には、断熱材料が堆肥化可能である輸送用コンテナに関する。
【背景技術】
【０００２】
温度に敏感な製品を輸送するための従来のコンテナは、段ボール箱を含み、段ボール箱の内側には、断熱材料がある。従来の断熱材料は、発泡性ポリスチレン（ＥＰＳ）、たとえば、スタイロフォーム（Ｓｔｙｒｏｆｏａｍ）である。たとえば、発泡性ポリスチレンのパネルは、ボックスの壁部をライニングすることが可能であり、別のパッキング材料、たとえば、気泡緩衝材が、パネルの内側で輸送されている品物を取り囲んでクッションを与えるように設置され得る。代替的に、発泡性ポリスチレンは、「冷却器」を形成するように機械加工または成形され得、輸送されている品物が「冷却器」の中へ設置され得る。これは、外部ボックスを必要としない。いずれのケースでも、冷却剤、たとえば、氷、ドライ・アイス、またはゲルパックが、輸送されている品物とともに、ボックスの中のキャビティーの中に設置されている。
【０００３】
ＥＰＳは、比較的に安価であり、さまざまな形状へと容易に形成され得るが、堆肥化可能ではない。結果的に、コンテナの材料の廃棄は、問題となる可能性がある。
【発明の概要】
【０００４】
コンポーネントが依然としてリサイクル可能または堆肥化可能でありながら、輸送されている品物の断熱を提供するコンテナが説明される。
【０００５】
１つの態様では、品物を保持するための輸送用コンテナは、外部ボックスと、ボックスの上部を閉鎖するためのカバーと、ボックスの中のキャビティーの中に位置決めされる複数の断熱パッドとを含む。ボックスは、その中にキャビティーを画定するための床部および複数の側壁部を有しており、また、ボックスの上部において、キャビティーに対する開口部を有している。床部、複数の側壁部、およびカバーのそれぞれが、複数の断熱パッドからのパッドに隣接するように、および、複数の断熱パッドからのパッドによってカバーされるように、複数の断熱パッドは位置決めされている。複数の断熱パッドは、品物を受け入れるための内部スペースを提供するように形状決めされている。複数の断熱パッドのそれぞれのパッドは、押し出し加工された粉砕されたモロコシから主に形成されたソリッド（ｓｏｌｉｄ）で堆肥化可能なパネルであって、パネルは、長方形プレートを提供し、長方形プレートは、長方形プレートが隣接している床部、複数の側壁部、またはカバーのいずれであっても、実質的にその範囲に広がるように寸法決めされている、ソリッドで堆肥化可能なパネルと、パネルを封入するポケットを形成する堆肥化可能な防水フィルムとを含む。パネルは、ポケットの中でゆったりしている。複数の断熱パッドのうちの少なくとも１つは、マルチセクションパネルを含み、マルチセクションパネルは、少なくとも１つの場所においてその幅を横切る刻み目を含む。刻み目は、マルチセクションパネルの厚さを通って、全体的にではないが、部分的に延在している。マルチセクションパネルは、刻み目において直角に折り畳まれ、パネルが、長方形プレートを提供するようになっており、長方形プレートは、複数のプレートが隣接している床部、複数の側壁部、またはカバーのいずれであっても、実質的にその範囲に広がるように寸法決めされている。
【０００６】
別の態様では、品物を保持するための輸送用コンテナは、外部ボックスと、ボックスボックスの上部を閉鎖するためのカバーと、ボックスの中のキャビティーの中に位置決めされる断熱パッドとを含む。外部ボックスは、その中にキャビティーを画定するための床部および複数の側壁部を有しており、また、ボックスの上部において、キャビティーに対する開口部を有している。床部、複数の側壁部、およびカバーのそれぞれが、パッドの一部分に隣接するように、および、パッドの一部分によってカバーされるように、断熱パッドは位置決めされている。断熱パッドは、品物を受け入れるための内部スペースを提供するように形状決めされている。断熱パッドは、押し出し加工された粉砕されたモロコシから主に形成されたソリッドで堆肥化可能なパネルと、パネルを封入するポケットを形成する堆肥化可能な防水フィルムとを含む。パネルは、ポケットの中でゆったりしている。マルチセクションパネルは、少なくとも５つの場所においてその幅を横切る刻み目を付けられており、それぞれの刻み目は、マルチセクションパネルの厚さを通って、全体的にではないが、部分的に延在している。マルチセクションパネルは、それぞれの刻み目において直角に折り畳まれ、パネルが６つの長方形プレートを提供するようになっており、６つの長方形プレートのそれぞれのプレートは、プレートが隣接している床部、複数の側壁部、またはカバーのいずれであっても、実質的にその範囲に広がるように寸法決めされている。
【０００７】
別の態様では、品物を保持するための輸送用コンテナは、外部ボックスと、ボックスの上部を閉鎖するためのカバーと、ボックスの中のキャビティーの中に位置決めされる６つの断熱パッドとを含む。外部ボックスは、その中にキャビティーを画定するための床部および複数の側壁部を有しており、また、ボックスの上部において、キャビティーに対する開口部を有している。床部、複数の側壁部、およびカバーのそれぞれが、複数の断熱パッドのうちの１つのパッドに隣接するように、および、複数の断熱パッドのうちの１つのパッドによってカバーされるように、６つの断熱パッドは位置決めされている。６つの断熱パッドは、品物を受け入れるための内部スペースを提供するように形状決めされている。６つの断熱パッドのそれぞれのパッドは、押し出し加工された粉砕されたモロコシから主に形成されたソリッドで堆肥化可能なパネルであって、パネルは、長方形プレートを提供し、長方形プレートは、長方形プレートが隣接している床部、複数の側壁部、またはカバーのいずれであっても、実質的にその範囲に広がるように寸法決めされている、ソリッドで堆肥化可能なパネルと、パネルを封入するポケットを形成する堆肥化可能な防水フィルムとを含む。パネルは、ポケットの中でゆったりしている。
【０００８】
別の態様では、品物を保持するための輸送用コンテナを製作する方法は、複数の断熱パッドを製作することを含み、粉砕されたモロコシから主に形成されたソリッドで堆肥化可能なパネルを堆肥化可能な防水フィルムの２つのシートの間に設置することによって、および、パネルがポケットの中でゆったりとしている状態でパネルを完全に取り囲む防水フィルムのポケットの中にパネルが封入されるように、２つのシートを熱シールすることによって、それぞれのパッドが製作される。複数の断熱パネルのうちの少なくとも１つは、その幅を横切って刻み目を付けられており、マルチセクションパネルを提供する。マルチセクションパネルは、刻み目において直角に折り畳まれ、パネルが複数の長方形プレートを提供するようになっている。複数の断熱パッドは、外部ボックスのキャビティーの中へ挿入され、ボックスの床部、複数の側壁部、およびカバーのそれぞれが、複数の断熱パッドからのパッドに隣接するように、および、複数の断熱パッドからのパッドによってカバーされるようになっており、また、複数の断熱パッドは、品物を受け入れるための内部スペースを提供するようになっている。それぞれの長方形プレートは、長方形プレートが隣接している床部、複数の側壁部、またはカバーのいずれであっても、実質的にその範囲に広がるように寸法決めされている。
【０００９】
別の態様では、品物を保持するための輸送用コンテナの中に設置するための断熱アッセンブリは、複数の断熱パッドであって、複数の断熱パッドは、直方体の輸送用コンテナのキャビティーの中に位置決めされるように形状決めされており、コンテナの床部、複数の側壁部、およびカバーのそれぞれが、複数の断熱パッドからのパッドに隣接するように、および、複数の断熱パッドからのパッドによってカバーされるようになっており、内部スペースが、品物を受け入れるために設けられている、複数の断熱パッドを含む。複数の断熱パッドのそれぞれのパッドは、単一のユニットとしてまとまっている穀物スターチから主に形成されたソリッドで堆肥化可能なパネルと、パネルを封入するポケットを形成する堆肥化可能な防水フィルムまたはポリエチレン防水フィルムとを含む。パネルは、長方形プレートを提供し、長方形プレートは、長方形プレートが隣接している床部、複数の側壁部、またはカバーのいずれであっても、実質的にその範囲に広がるように寸法決めされている。
【００１０】
複数の断熱パッドのうちの少なくとも１つは、フィルムによって封入された複数の長方形パネルセクションを含むマルチセクションパッドである。マルチセクションパッドは、パネルセクション同士の間の境界線に沿って直角に折り畳むことができるように構成されており、それぞれのパネルセクションは、複数の長方形パネルセクションが隣接している床部、複数の側壁部、またはカバーのいずれであっても、実質的にその範囲に広がるように寸法決めされている。フィルムは、パッドが折り畳まれる場合に、マルチセクションパッドの内部表面およびマルチセクションパッドの外部表面の両方を提供する。
【００１１】
実装形態は、以下の特徴のうちの１つまたは複数を含むことが可能である。
【００１２】
ポケットの内部は、真空にされ得る。パネルは、ポケットの中でスライド可能であり得る。フィルムは、接着剤によって、パネルの内部表面または外部表面のうちの少なくとも１つの上に貼り付けられ得る。接着剤は、水にさらされるパネルの一部分であり、パネルの一部分の中のスターチが粘着性を有するようになり得る。
【００１３】
複数の断熱パッドのうちの少なくとも１つは、パネルの内部表面の上の少なくとも１つの場所において、その幅を横切る刻み目を含むことが可能であり、刻み目は、マルチセクションパネルの厚さを通って、全体的にではないが、部分的に延在しており、パネルを複数の長方形パネルセクションに分割している。刻み目は、マルチセクション本体部の圧縮された部分またはカットアウト部分を含むことが可能である。
【００１４】
スターチは、穀物スターチ、根茎スターチ、野菜スターチ、または、それらの組み合わせであることが可能である。スターチは、コーンスターチ、小麦スターチ、または、粉砕されたモロコシを含むことが可能である。それぞれのパッドのパネルは、均一な均質組成を有することが可能である。複数の長方形パネルセクションは、単一の単体本体の一部であることが可能である。
【００１５】
別の態様では、品物を保持するための輸送用コンテナの中に設置するための断熱物品は、マルチセクション断熱パッドであって、マルチセクション断熱パッドは、直方体の輸送用コンテナのキャビティーの中に位置決めされるように形状決めされており、品物を受け入れるための内部スペースを残しながら、コンテナの床部、４つの側壁部、およびカバーのうちの２つから５つに隣接してカバーする、マルチセクション断熱パッドを含む。断熱パッドは、穀物スターチから主に形成された複数のソリッドで堆肥化可能なパネルセクションと、複数のパネルセクションを封入するポケットを形成する堆肥化可能な防水フィルムまたはポリエチレン防水フィルムとを含む。それぞれのパネルセクションは、単一のユニットとしてまとまっており、それぞれのパネルセクションは、長方形プレートを提供し、長方形プレートは、長方形プレートが隣接している床部、複数の側壁部、またはカバーのいずれであっても、実質的にその範囲に広がるように寸法決めされている。
【００１６】
マルチセクション断熱パッドは、パネルセクション同士の間の境界線に沿って直角に折り畳むことができるように構成されている。フィルムは、マルチセクション断熱パッドが折り畳まれる場合に、マルチセクション断熱パッドの内部表面およびマルチセクション断熱パッドの外部表面の両方を提供する。
【００１７】
実装形態は、以下の特徴のうちの１つまたは複数を含むことが可能である。
【００１８】
ポケットの内部は、真空にされ得る。複数のソリッドで堆肥化可能なパネルセクションは、ポケットの中でスライド可能であり得る。フィルムは、接着剤によって、パネルセクションのうちの１つまたは複数の内部表面または外部表面のうちの少なくとも１つの上に貼り付けられ得る。接着剤は、水にさらされるパネルの一部分であることが可能であり、パネルの一部分の中のスターチが粘着性を有するようになるようになっている。
【００１９】
複数のソリッドで堆肥化可能なパネルセクションは、単一の単体本体の一部であることが可能である。単体本体は、パネルの内部表面の上の少なくとも１つの場所において、その幅を横切って刻み目を有するパネルであることが可能であり、刻み目は、パネルの厚さを通って、全体的にではないが、部分的に延在しており、パネルを複数のパネルセクションに分割している。刻み目は、本体部の圧縮された部分またはカットアウト部分であることが可能である。マルチセクション断熱パッドは、複数のスタックされたパネルを含むことが可能である。
【００２０】
複数のソリッドで堆肥化可能なパネルセクションは、約１／４インチから１インチの間の厚さをそれぞれ有することが可能である。複数のソリッドで堆肥化可能なパネルセクションは、約０．６ｇ／ｃｍ３から３．５ｇ／ｃｍ３の密度をそれぞれ有することが可能である。複数のソリッドで堆肥化可能なパネルセクションのそれぞれは、基本的に平坦であることが可能である。複数のソリッドで堆肥化可能なパネルセクションのうちの１つまたは複数の１つまたは複数の表面は、波形であることが可能である。スターチは、穀物スターチ、根茎スターチ、野菜スターチ、または、それらの組み合わせであることが可能である。スターチは、コーンスターチ、小麦スターチ、または、粉砕されたモロコシを含むことが可能である。それぞれのソリッドで堆肥化可能なパネルセクションは、均一な均質組成を有することが可能である。
【００２１】
可能性のある利点は、以下のうちの１つまたは複数を含むことが可能である（かつ、それに限定されない）。
【００２２】
断熱材料は堆肥化可能であり、外部ボックスはリサイクル可能であり、したがって、コンテナのコンポーネントのすべてが容易に廃棄可能である。断熱材料を含有するフィルムは、堆肥化可能またはリサイクル可能であり、容易に廃棄される。コンテナは、容易に組み立てられ得、コンテナの内側にフィットする断熱パッドは、低コストで製造され得る。断熱パッドは、発泡性ポリスチレンと同等の断熱を提供することが可能であり、また、商業用および住宅用の堆肥用ビンもしくはリサイクル用ビンまたはごみ入れの中に廃棄され得る。コンテナコンポーネントは、最小コスト増加によって、組み立てられていない状態で大量に輸送され得、コンテナの組み立ては、ユーザーによって実施され得る。
【００２３】
１つまたは複数の実施形態の詳細は、添付の図面および下記の説明に記述されている。本発明の他の特徴、目的、および利点は、説明および図面から、ならびに、特許請求の範囲から、明らかになることとなる。
【図面の簡単な説明】
【００２４】
【図１】断熱された輸送用コンテナの例の分解斜視図である。
【図２Ａ】図１の断熱性の輸送用コンテナのパッドの構築の例を図示する図である。
【図２Ｂ】図１の断熱性の輸送用コンテナのパッドの構築の例を図示する図である。
【図２Ｃ】図１の断熱性の輸送用コンテナのパッドの構築の例を図示する図である。
【図２Ｄ】図１の断熱性の輸送用コンテナのパッドの構築の例を図示する図である。
【図２Ｅ】図１の断熱性の輸送用コンテナのパッドの構築の例を図示する図である。
【図２Ｆ】図１の断熱性の輸送用コンテナのパッドの構築の例を図示する図である。
【図２Ｇ】図１の断熱性の輸送用コンテナのパッドの構築の例を図示する図である。
【図３Ａ】断熱性の輸送用コンテナのための２つの３つにセクション化されたパッドを含む例を図示する図である。
【図３Ｂ】断熱性の輸送用コンテナのための２つの３つにセクション化されたパッドを含む例を図示する図である。
【図３Ｃ】断熱性の輸送用コンテナのための２つの３つにセクション化されたパッドを含む例を図示する図である。
【図３Ｄ】断熱性の輸送用コンテナのための２つの３つにセクション化されたパッドを含む例を図示する図である。
【図３Ｅ】断熱性の輸送用コンテナのための２つの３つにセクション化されたパッドを含む例を図示する図である。
【図３Ｆ】断熱性の輸送用コンテナのための２つの３つにセクション化されたパッドを含む例を図示する図である。
【図３Ｇ】断熱性の輸送用コンテナのための２つの３つにセクション化されたパッドを含む例を図示する図である。
【図３Ｈ】断熱性の輸送用コンテナのための２つの３つにセクション化されたパッドを含む例を図示する図である。
【図３Ｉ】断熱性の輸送用コンテナのための２つの３つにセクション化されたパッドを含む例を図示する図である。
【図４Ａ】断熱性の輸送用コンテナのための６つの個々のパッドを含む例を図示する図である。
【図４Ｂ】断熱性の輸送用コンテナのための６つの個々のパッドを含む例を図示する図である。
【図４Ｃ】断熱性の輸送用コンテナのための６つの個々のパッドを含む例を図示する図である。
【図４Ｄ】断熱性の輸送用コンテナのための６つの個々のパッドを含む例を図示する図である。
【図５Ａ】断熱性の輸送用コンテナのための３つにセクション化されたパッドおよび３つの個々のパッドを含む例を図示する図である。
【図５Ｂ】断熱性の輸送用コンテナのための３つにセクション化されたパッドおよび３つの個々のパッドを含む例を図示する図である。
【図５Ｃ】断熱性の輸送用コンテナのための３つにセクション化されたパッドおよび３つの個々のパッドを含む例を図示する図である。
【図５Ｄ】断熱性の輸送用コンテナのための３つにセクション化されたパッドおよび３つの個々のパッドを含む例を図示する図である。
【図５Ｅ】断熱性の輸送用コンテナのための３つにセクション化されたパッドおよび３つの個々のパッドを含む例を図示する図である。
【図５Ｆ】断熱性の輸送用コンテナのための３つにセクション化されたパッドおよび３つの個々のパッドを含む例を図示する図である。
【図５Ｇ】断熱性の輸送用コンテナのための３つにセクション化されたパッドおよび３つの個々のパッドを含む例を図示する図である。
【図５Ｈ】断熱性の輸送用コンテナのための３つにセクション化されたパッドおよび３つの個々のパッドを含む例を図示する図である。
【図６】単一の６つにセクション化されたパッドを含む例を図示する図である。
【図７Ａ】折り畳まれていない状態の、防水フィルムの中に封入された複数のマルチセクションパネルの例を図示する図である。
【図７Ｂ】折り畳まれた状態の、防水フィルムの中に封入された複数のマルチセクションパネルの例を図示する図である。
【図８】防水フィルムなしの、断熱された輸送用コンテナのためのソリッドで堆肥化可能なパネルを使用する例を図示する図である。
【図９】一緒にラミネート加工されている複数のパネルを図示する図である。
【発明を実施するための形態】
【００２５】
さまざまな図面の中の同様の参照記号は、同様のエレメントを示している。
【００２６】
最初に、いくつかの専門用語が有益である可能性がある。「生分解性」は、製品が無害の材料へと最終的に崩壊することとなるということを単純に意味している。「リサイクル可能」は、製品が再使用または処理され得、再使用に適切となるようになっているということを示している。「堆肥化可能」は、製品が、たとえば、１８０日以内で、迅速に分解することとなるということ、および、製品が、（たとえば、ＡＳＴＭ  Ｄ６４００またはＥＮ  １３４３２にしたがう）肥料として使用され得る材料へと分解することとなるということの両方を示している。「生分解性」である製品は、「堆肥化可能」である必要はない（そして、通常、「堆肥化可能」ではない）。第１に、「生分解性」の製品が崩壊するための特定の時間制限は存在しないので、「生分解性」の製品は、迅速に分解する必要がない。たとえば、アルミニウム缶でさえも、所与の数世紀で生分解することとなる。そのうえ、迅速に分解する生分解性の製品でも、肥料として適切な材料を提供しない可能性がある。
【００２７】
パッケージングのためのほとんどの従来の断熱材料、たとえば、ＥＰＳは、堆肥化可能ではない。堆肥化可能な断熱パッケージング材料を使用するための１つの技法は、層化を使用して、バラ詰めの堆肥化可能なコーンスターチフォームペレット（たとえば、パッケージング「ピーナツ」）によって、ボックスの内側壁部と外側壁部との間の体積を充填し、次いで、この体積の中のフォームペレットのそれぞれの層を圧縮し、フォームペレットをコンパクト化するということである。この技法は、複数のボックス、または、内側壁部および外側壁部の両方を有する特殊化されたボックスのいずれかを必要とし、また、ペレットの層化コンパクト化のための特殊化された機械を必要とする。追加的なボックスまたは特殊化されたボックスは、コストを増加させる。それに加えて、バラ詰めのペレットは、ボックスから除去されるときに散らかるので、堆肥化することが困難である。そのうえ、ペレットからの抵抗に起因して、大きい量の圧力、たとえば、２５ポンド以上が、ボックスの上部フラップを閉じるために印加されることが必要である。
【００２８】
しかし、バラ詰めのフォームペレットの代わりに、押し出し加工されたスターチ、たとえば、粉砕された押し出し加工されたモロコシから主に形成されたソリッドで堆肥化可能なパネルは、生分解性の防水フィルムまたは堆肥化可能な防水フィルムによって封入され、断熱パッドを提供することが可能であり、このパッドは、コンテナの中の断熱パッケージングとして使用され得る。
【００２９】
図１は、断熱された輸送用コンテナ１０の例の分解斜視図である。輸送用コンテナ１０は、ボックス２０および複数の断熱パッド３０を含み、複数の断熱パッド３０は、ボックス２０の内部キャビティー２２の内側にフィットする。ボックス２０の中に位置決めされているときに、断熱パッド３０が内部スペースを提供し、品物および随意的に冷却剤、たとえば、氷、ドライ・アイス、またはゲルパックなどを受け入れるように、断熱パッド３０は形状決めされている。
【００３０】
ボックス２０は、直方体であることが可能であり、また、内部キャビティー２２を画定する長方形の側壁部２４を含むことが可能である。ボックスの底部は、同様に、１つまたは複数のフラップ（斜視図に起因して図示せず）によって閉鎖され得る。ボックス２０の上部は、内部キャビティー２２への開口部を提供している。ボックス２０のためのカバーは、１つまたは複数のフラップ２６によって提供され得、１つまたは複数のフラップ２６は、側壁部２４から内向きに折り畳まれ、キャビティー２２の上部を閉鎖することが可能である。いくつかの実装形態では、ボックスの側壁部２４、フラップ２６、および底部は、適当な形状へと折り畳まれる単一の一体シートのすべてのパーツである。代替的に、ボックス２０のためのカバーは、側壁部２４の上方にフィットする別個の蓋によって提供され得る。
【００３１】
ボックス２０は、リサイクル可能な材料である。たとえば、ボックス２０は、段ボール箱、たとえば、板紙または段ボール紙であることが可能である。
【００３２】
上述のように、コンテナは、ボックス２０の内側にフィットする複数の断熱パッド３０を含む。それぞれのパッド３０は、ソリッドで堆肥化可能なパネル（または、複数のソリッドで堆肥化可能なパネル）を、リサイクル可能なおよび生分解性のまたは堆肥化可能な防水フィルムの中にシールすることによって形成されている。いくつかの実装形態では、パッドは、単一のパネルを含む。それぞれのパッド３０は、パッドの長さおよび幅と比較したときに、比較的に薄く、たとえば、約０．２５〜４インチの厚さである。パッド３０の厚さは、その最も狭い寸法に沿っていると考えられ、一方、パッド３０の長さおよび幅は、厚さに対して垂直の主要面に沿った２つの方向に沿っていると考えられる。
【００３３】
それぞれのパネルは、スターチ、たとえば、押し出し加工されたスターチから形成され得る。スターチは、穀物スターチ、たとえば、コーンスターチ、小麦スターチ、またはモロコシ（モロコシは、ミロとしても知られる）、根茎スターチ、たとえば、ジャガイモスターチ、野菜スターチ、または、それらの組み合わせであることが可能である。パネルの堆肥化可能な性質と干渉しない他の材料、たとえば、スターチの接着を改善するための軟化剤、または、防腐剤もしくは抗真菌剤が、存在することが可能であるが、少量だけ存在することが可能である。たとえば、パネルの少なくとも８５重量％、たとえば、少なくとも９０〜９５重量％がスターチである。ポリビニルアルコールは、たとえば、５〜１０重量％だけ存在することが可能である。
【００３４】
それぞれのパネルは、「ソリッド」であり、「ソリッド」は、この文脈では、パネルは、バラ詰めのペレットから形成されているというよりもむしろ、単一のユニットとしてまとまっているということを示している。圧縮されたスターチペレットは、ソリッドなパーツを形成することとはならず、圧力が除去されると、ペレットは、バラバラになることとなり、圧力の増加は、単に、ペレットを破砕または粉砕するに過ぎないということが留意され得る。押し出し加工されたスターチのソリッドパネルは、依然として堆肥化可能でありながら、かなりの断熱を提供する。
【００３５】
パネルがフォーム材料であること、たとえば、パネルを通して実質的に均一に広がる小さい細孔またはボイドを含むことが可能である。たとえば、パネルの体積の１０〜８０％が、細孔またはボイドであることが可能であり、それは、たとえば、２５〜７５％、２５〜５０％、１０〜２５％、５０〜７５％である。細孔またはボイドの最大サイズは、約１ｍｍであることが可能である。パネルはフォーム材料であることが可能であるが、パネルは一般的に非圧縮性である。パネルの密度は、約０．４〜３．５ｇ／ｃｍ３、たとえば、０．６〜１．０ｇ／ｃｍ３、０．８〜２．０ｇ／ｃｍ３、１．０〜３．５ｇ／ｃｍ３であることが可能である。
【００３６】
それぞれのパネルは、均一な均質組成のものであることが可能である。そのうえ、それぞれのパネルは、単体本体であることが可能であり、すなわち、パネルの本体部は、接着剤または締結具なしで、それ自身によってまとまっており、複数のセクションを一緒に接合し、パネルを形成している。
【００３７】
パネルの厚さは、約０．２５〜１．０インチ、たとえば、０．２５〜０．７５インチであることが可能である。任意の所与のパネルは、その主要表面にわたって実質的に均一な厚さを有することが可能である。パネルの表面は、概して平坦であることが可能であり、または、１つもしくは複数の表面は、波形であることが可能である。波形にすることは、たとえば、最大で４倍も、パッドの有効厚さを増加させることが可能である。このケースでは、パネルの厚さは、依然として均一であり得るが、パネルは、波形を備えて形状決めされている。
【００３８】
それぞれのパネルは、１つまたは複数の長方形プレートを含むことが可能であり、１つまたは複数の長方形プレートは、長方形プレートが隣接している床部、複数の側壁部、またはカバーのいずれであっても、実質的にその範囲に広がるように寸法決めされている。いくつかの実装形態では、パネルの全体も、折り畳まれていない構成になっているときに、長方形になっている。
【００３９】
パネルは、押し出し加工プロセスによって形成され得る。押し出し加工の後に、それぞれのパネルは、適当なサイズにカットされ得る。それに加えて、縁部は、随意的に面取りされており、上記に説明されているパッドの面取りを提供することが可能である。それに加えて、カラーを提供するパネルは、下記に説明されているように、刻み目を付けられ得る。
【００４０】
防水フィルムは、プラスチックフィルムであることが可能である。いくつかの実装形態では、フィルムは気密である。
【００４１】
いくつかの実装形態では、防水フィルムは、堆肥化可能であり、たとえば、ＡＳＴＭ  Ｄ６４００規格を満たすバイオプラスチックである。堆肥化可能なフィルムに関する適切な材料は、ポリ乳酸（ＰＬＡ）、ポリ（ベータ−アミノ）エステル（ＰＢＡＥ）、ポリヒドロキシアルカノエート（ＰＨＡ）、ポリカプロラクトン（ＰＣＬ）、ポリブチレートアジペートテレフタレート（ＰＢＡＴ）ポリビニルアルコール（ＰＶＡ）、またはエチレンビニルアルコール（ＥＶＯＨ）のうちの１つまたは複数に基づくポリマーを含む。たとえば、ＰＢＡＴおよびＰＥの組み合わせが、適切である可能性がある。別の例として、ＰＥおよびＰＬＡの組み合わせが、適切である可能性がある。いくつかの実装形態では、ポリマーは、有機製品、たとえば、スターチ、たとえば、コーンスターチなどと混合され得る。
【００４２】
いくつかの実装形態では、防水フィルム、リサイクル可能および生分解性である。リサイクル可能なフィルムに関して適切な材料は、ポリエチレンである。たとえば、フィルムは、低密度ポリエチレン（ＬＤＰＥ）、中間密度ポリエチレン（ＭＤＰＥ）、または高密度ポリエチレン（ＨＤＰＥ）であることが可能である。ポリエチレンの利点は、製作の容易さ、および、良好な耐水性である。
【００４３】
スターチベースの断熱体に伴う問題は、それが水に容易に溶解するということである。輸送されている品物が冷温であるか、または、冷却剤がコンテナ１０の内部の中に設置されている場合には、パッド３０の内部表面の上に凝縮液が形成する可能性がある。しかし、フィルムは、液体、たとえば、凝縮液が、スターチパネルに到達することを防止し、したがって、スターチパネルがコンテナの中の断熱材として使用可能となることを可能にする。
【００４４】
パッド３０を製作するために、スターチパネルは、防水フィルムの２つのシートの間に設置され得る。防水フィルムの縁部は、互いに熱シールされ得、たとえば、パネルの周囲全体に沿って熱シールされ得、したがって、堆肥化可能な防水フィルムのポケットの中にパネルを封入してシールし、ポケットは、パネル自身よりもわずかにだけ大きい寸法を有している。適切なシーリング温度は、１００℃を上回る。熱シールの外側の余剰のフィルムは、切り取られ得る。
【００４５】
パネルの主要表面に対して平行な方向に、ポケットは、それぞれの側部において、パネルよりも最大で約０．５インチ大きくなっていることが可能である。
【００４６】
代替的に、フィルムは、チューブ状の形態で提供され得る。パッド３０を製作するために、パネルは、防水フィルムのチューブの内側にスライドさせられ、チューブの２つの開口端部が熱シールされる。これは、ポケットを形成し、ポケットの中にパネルが座る。
【００４７】
いくつかの実装形態では、パネルは、フィルムによって形成されたポケットの内側に緩く座る。すなわち、パネルは、フィルムに結合されておらず、または、その他の方法で固定されていない。したがって、パネルは、フィルムに対して、ポケットの内側でスライドすることが可能である。たとえば、フィルムは、パネルとスライド接触の状態になっていることが可能である。ポケットの内部は、少量の空気を含むことが可能である。いくつかの実装形態では、空気は、ポケットがシールされる前に吸い出される。
【００４８】
いくつかの実装形態では、パネルは、フィルムに貼り付けられている。たとえば、フィルムをパネルに熱結合することによって、フィルムは、パネルに固定され得る。別の例として、フィルムは、接着剤によってパネルに固定され得る。接着剤は、別個の添加剤であることが可能であり、または、接着剤は、水をパネルに塗布することによって提供され得、表面におけるパネルの一部分のスターチが粘着性を有するようになることを引き起こし、フィルムがパネルに張り付くようになっている。
【００４９】
フィルムは、パネルの内部表面および外部表面の両方の上に、または、パネルの単に１つの表面だけの上に、たとえば、パネルの内部表面だけもしくは外部表面だけに貼り付けられ得る。それに加えて、パネルの内部表面および外部表面のそれぞれに関して、フィルムは、表面全体にわたって貼り付けられ得るか、または、表面の一部分だけの上に、たとえば、縁部に沿った周囲部分に、もしくは、パネルの縁部から間隔を離して配置されている中央部分に貼り付けられ得る。
【００５０】
１つまたは複数のパネル以外に、他の断熱材料が防水フィルムの中に存在する必要はない。たとえば、パネルのうちの１つが、印加された応力に起因して破砕しなければ、フィルムによって封入された体積の中に、他の断熱材料のバラのペレットまたはピースは存在しない。いくつかの実装形態では、パッド３０は、１つまたは複数のパネル、防水フィルム、および、随意的に、フィルムによって封入された体積の内側のいくらかの空気から構成され、すなわち、それらだけを含む。
【００５１】
パネルおよび防水フィルムの両方が堆肥化可能である場合には、パッド全体が、堆肥用ビンの中に一体として廃棄され得る。パネルが堆肥化可能であり、防水フィルムがリサイクル可能である場合には、フィルムは、パッケージの受け取り者によって手でパネルから剥ぎ取られ得、次いで、パネルは、堆肥用ビンの中に廃棄され得、フィルムは、リサイクル用ビンに廃棄され得る。
【００５２】
図１に示されている実装形態では、断熱パッド３０は、底部パッド３２、カラー３４、および上部パッド３６を含む。
【００５３】
底部パッド３２は、ボックス２０の底部にマッチするか、または、たとえば、約１／８インチの公差だけわずかに小さくなっている、長さおよび幅を有しており、底部パッド３２が、ボックス２０の底部の上のキャビティー２２の底部にぴったりフィットするようになっている。
【００５４】
カラー３４は、４つの壁部部材４０へと折り畳まれる単一のパネルを含む。それぞれの壁部部材４０は、上部パッド３２および底部パッド３６の組み合わせた厚さよりも小さい、ボックス２０の高さにおおよそ等しい（垂直方向の）高さを有している。それぞれの壁部部材４０は、ボックス２０の隣接する側壁部２４にマッチするか、または、たとえば、約１／８インチ公差だけわずかに小さくなっている、（横方向の）幅を有している。したがって、カラー３４は、底部パッド３２の上でキャビティー２２の中へしっかりとフィットし、それぞれの壁部部材４０が、側壁部２４のうちの１つに隣接した状態に、たとえば、接触した状態になっている。
【００５５】
上部パッド３６は、ボックス２０の上部にマッチするか、または、たとえば、約１／８インチ公差だけわずかに小さくなっている、長さおよび幅を有しており、上部パッド３６の周囲がカラー３４の壁部部材４０の上に座ることができるようになっており、上部パッド３６自身がキャビティー２２にしっかりとフィットするようになっている。たとえば、フラップ２６を閉じることによって、または、蓋を設置することによって、ボックス２０の上部が閉じられるとき、上部パッド３６は、ボックス２０の上部に隣接して、たとえば、ボックス２０の上部に接触した状態で座る。
【００５６】
いくつかの実装形態では、パッド３０の表面は、最大でそれらの縁部まで（それらの縁部を含む）、基本的に平坦になっている。「基本的に平坦である」ということは、パッドの厚さの規模で平坦であるということを示すために使用されているが、小規模の表面テクスチャー加工の可能性を依然として包含している。したがって、カラー３４の下側リム部は、単純に、底部パッド３２の上部表面の周囲の上に基本的に平坦に座り、上部パッド３６の周囲は、単純に、カラー３４の上側リム部の上に基本的に平坦に座る。代替的に、それぞれのパッドの内部表面、すなわち、キャビティーに面しており、ボックス２０からより遠くにある、パッドの表面は、別のパッドに隣接している縁部において面取りされ得る。したがって、カラー３４の面取りされた下側リム部は、底部パッド３２の面取りされた周囲の上に座り、上部パッド３６の面取りされた周囲は、カラー３４の面取りされた上側リム部の上に座る。この後者のケースでは、それぞれの壁部部材４０の外側表面は、ボックス２０の高さにおおよそ等しい高さを有することが可能である。
【００５７】
図２Ａ〜図２Ｇは、図１に示されている断熱性の輸送用コンテナ１０のパッド３０の構築の例を図示している。
【００５８】
図２Ａ（分解斜視図）を参照すると、カラー３４は、ボックス２０の側方周囲の長さにおおよそ等しいかまたはそれよりもわずかに小さい長さＬと、ボックス２０の高さにおおよそ等しいかまたはそれよりもわずかに小さい幅Ｗとを有する、ソリッドで堆肥化可能なパネル５０を形成することによって製作され得る。次いで、パネル５０は、堆肥化可能な防水フィルムの２つのシート６０の間に設置される。
【００５９】
図２Ｂ（断面側面図）を参照すると、２つのシート６０は、パネル５０の周囲全体の周りに延在する経路に沿って熱シールされている。シールは、パネル５０の縁部から、約１インチ以下、たとえば、約１／２インチ以下に位置決めされ得る。熱シールの外側の余剰のフィルムは切り取られ得る。
【００６０】
図２Ｃは、断面側面図であり、図２Ｄは、斜視図である。図２Ｃおよび図２Ｄを参照すると、シート６０同士の間にパネル５０をシールする前または後に、パネル５０の１つの表面（それは、パネルの内向きに向く表面であることとなる）は、３つの場所において刻み目を付けられ、パネル５０を４つの長方形プレート５２に分割することが可能であり、４つの長方形プレート５２は、カラー３４の４つの側壁部に対応している。それぞれのプレート５２の長さは、カラー３４の対応する側壁部５０の幅に対応している。刻み目を付けることは、角度付きの剛体による圧縮によって実施され得る。
【００６１】
それぞれの刻み目は、パネルの幅Ｗを横切って延在する凹部５６を生成させることが可能である。凹部５６は、パネル５０の厚さを通って、全体的にではないが、部分的に延在している。たとえば、凹部５６は、パネル５０の厚さの約５０〜７５％を通って延在することが可能である。刻み目を付けることは、角度を付けられることができ、したがって、凹部は、三角形の断面を有している。
【００６２】
刻み目を付けられているエリアにおけるパネル５０の厚さの低減は、パネルのフレキシビリティーを増加させ、パネル５０が破壊することなく直角に曲げられ得るようになっている。とりわけ、パネル５０は、内向きに（内側表面が凹部５６を備えた側になる状態）折り畳まれ得る。これは、カラー３４が折り畳まれてボックス２０の中に設置されているときに、パネル５０が単一の単体パーツとしてとどまることを可能にし、それは、断熱材料の中のギャップの生成を低減させることによって断熱を改善することが可能である。
【００６３】
図２Ｅは、概略的な分解斜視図である。図２Ｆは、概略的な断面側面図である。図２Ｇは、概略的な斜視図である。図２Ｅ〜図２Ｇを参照すると、上部パッド３２および底部パッド３６の構築は、はるかに簡単である。パネル５０は、ボックス２０の上部または底部の対応する寸法におおよそ等しいかまたはそれよりもわずかに小さい横方向寸法を有するように形成されている。次いで、このパネル５０は、堆肥化可能な防水フィルムの２つのシート６０の間に設置され（図２Ｅを参照）、２つのシート６０は、パネル５０の周囲全体の周りに延在する経路に沿って熱シールされ（図２Ｆを参照）、上部パッド３２または底部パッド３６を提供する。熱シールの外側の余剰のフィルムは切り取られ得る。
【００６４】
図３Ａ〜図３Ｉは、断熱性の輸送用コンテナ１０のためのパッド３０の構築の別の例を図示している。図３Ａ〜図３Ｉの例では、３つのパッドというよりもむしろ、断熱パッド３０は、第１の３つにセクション化されたパッド７０、および、第２の３つにセクション化されたパッド７２を含む。
【００６５】
図３Ａおよび図３Ｂは、２つの３つにセクション化されたパッドの概略的な分解斜視図である。図３Ｃ〜図３Ｆは、２つの３つにセクション化されたパッドの概略的な断面側面図である。図３Ｇおよび図３Ｈは、２つの３つにセクション化されたパッドの概略的な斜視図である。図３Ｉは、どのように２つの３つにセクション化されたパッドが互いに対して位置決めされているかということを示す概略的な分解斜視図である。
【００６６】
これらのパッド３０は、図２Ａ〜図２Ｄに関して上記に議論されているパッドと同様に構築されており、それぞれのパッド７０、７２は、堆肥化可能な防水フィルムの中にソリッドで堆肥化可能なパネルをシールすることによって形成された状態になっている。とりわけ、それぞれの３つにセクション化されたパッド７０、７２は、３つの場所というよりもむしろ２つの場所に刻み目を付けることを除いて、上記に議論されているカラー３４と同様の様式で構築されている。
【００６７】
とりわけ、図３Ａを参照すると、第１の３つにセクション化されたパッド７０は、ボックス２０の３つの側壁部の長さにおおよそ等しいかまたはそれよりもわずかに小さい長さＬと、ボックス２０の高さにおおよそ等しいかまたはそれよりもわずかに小さい幅Ｗとを有する、ソリッドで堆肥化可能なパネル５０を形成することによって製作され得る。図３Ｂを参照すると、第２の３つにセクション化されたパッド７０は、ボックス２０の上部および底部の長さとボックスの側壁部のうちの１つの高さとを加えたものにおおよそ等しいかまたはそれよりもわずかに小さい長さＬと、ボックス２０の側壁部のうちの１つの横方向長さにおおよそ等しいかまたはそれよりもわずかに小さい幅Ｗとを有する、ソリッドで堆肥化可能なパネル５０を形成することによって製作され得る。
【００６８】
図３Ａ〜図３Ｄを参照すると、次いで、それぞれのパネル５０は、堆肥化可能な防水フィルムの２つのシート６０の間に設置され、２つのシート６０は、上記に議論されているように熱シールされる。
【００６９】
図３Ｅ〜図３Ｇを参照すると、シート６０同士の間にそれぞれのパネル５０をシールする前または後に、パネル５０の１つの表面（それは、パネルの内向きに向く表面であることとなる）は、２つの場所において刻み目を付けられ、パネル５０を３つの長方形プレート５２に分割することが可能であり、３つの長方形プレート５２は、カラー３４の４つの側壁部に対応している。第１の３セクションパッド７０のプレート５２の長さは、ボックス２０の３つの対応する側壁部の幅に対応している。第２の３セクションパッド７２のプレート５２の長さは、それぞれ、ボックス２０の上部側面の幅、残りの側壁部の長さ、および底部側面の幅に対応している。
【００７０】
一緒に、結果として生じる２つの３つにセクション化されたパッド７０、７２は、ボックス２０の内部２２の中に挿入されているときに、ボックス２０の６つの側面のそれぞれをカバーする。
【００７１】
２つの３つにセクション化されたパッド７０、７２に関して、他の構成も可能であるということが認識されるべきである。たとえば、第１の３つにセクション化されたパッドは、ボックスの底部および２つの対向する側面をカバーすることが可能であり、第２の３つにセクション化されたパッドは、ボックスの上部およびその他の２つの対向する側面をカバーすることが可能である。
【００７２】
図４Ａ〜図４Ｄは、断熱性の輸送用コンテナ１０のためのパッド３０の構築のさらなる別の例を図示している。図４Ａ〜図３Ｄの例では、３つのパッドというよりもむしろ、断熱パッド３０は、６つのパッド８０を含み、その１つずつは、ボックス２０の６つの側面のそれぞれに対するものである。
【００７３】
図４Ａは、パッドのうちの１つの概略分解図である。図４Ｂは、パッドのうちの１つの概略的な断面側面図である。図４Ｃは、パッドのうちの１つの概略的な斜視図である。図４Ｄは、どのように２つの３つにセクション化されたパッドが互いに対して位置決めされているかということを示す概略的な分解斜視図である。
【００７４】
これらのパッド３０は、図２Ｅ〜図２Ｇに関して上記に議論されているパッドと同様に構築されており、それぞれのパッドは、堆肥化可能な防水フィルムの中にソリッドで堆肥化可能なパネルをシールすることによって形成された状態になっている。それぞれのパッド（および、パッドのそれぞれのパネル）は、上記に議論されているラインに沿って、ボックス２０の関連の側面の寸法に関して適当な長さおよび幅を有している。
【００７５】
図４Ａ〜図４Ｄの例は、刻み目を付けることを必要とせず、結果的に、より容易に製造することが可能である。しかし、ギャップの数の増加は、断熱の有効性を減少する可能性がある。
【００７６】
図５Ａ〜図５Ｈは、断熱性の輸送用コンテナ１０のためのパッド３０の構築のさらなる別の例を図示している。図５Ａ〜図５Ｈの例では、３つのパッドというよりもむしろ、断熱パッド３０は、３つにセクション化されたパッド９０、および、３つの個々のパッド９２を含む。
【００７７】
図５Ａは、３つにセクション化されたパッドの概略的な分解斜視図である。図５Ｂおよび図５Ｃは、３つにセクション化されたパッドの概略的な断面側面図である。図３Ｃは、２つの３つにセクション化されたパッドの概略的な斜視図である。図５Ｅは、個々のパッドのうちの１つの概略分解図である。図５Ｆは、個々のパッドのうちの１つの概略的な断面側面図である。図５Ｇは、個々のパッドのうちの１つの概略的な斜視図である。図５Ｈは、どのように２つの３つにセクション化されたパッドが互いに対して位置決めされているかということを示す概略的な分解斜視図である。
【００７８】
図５Ａ〜図５Ｄを参照すると、３つにセクション化されたパッド９０は、図３Ａ〜図３Ｆに関して上記に議論されている３つにセクション化されたパッドと同様に構築されており、パッド９０は、堆肥化可能な防水フィルムの中にソリッドで堆肥化可能なパネルをシールすることによって形成された状態になっている。
【００７９】
図５Ａを参照すると、３つにセクション化されたパッド９０は、ボックス２０の２つの側壁部の高さとボックス２０の底部の長さとを加えたものにおおよそ等しいかまたはそれよりもわずかに小さい長さＬと、ボックス２０の側面のうちの１つの幅におおよそ等しいかまたはそれよりもわずかに小さい幅Ｗとを有する、ソリッドで堆肥化可能なパネル５０を形成することによって製作され得る。
【００８０】
図５Ｅ〜図５Ｇを参照すると、３つの個々のパッド９２は、図２Ｅ〜図２Ｇに関して上記に議論されている上部パッドおよび底部パッド３２、３６と同様に構築されており、パッド９２は、堆肥化可能な防水フィルムの中にソリッドで堆肥化可能なパネルをシールすることによって形成された状態になっている。それぞれのパッド９２（および、パッドのそれぞれのパネル）は、全体的に上記に議論されているように、それが並ぶこととなるボックス２０の関連の側面の寸法に関して適当な長さおよび幅を有している。
【００８１】
図５Ａ〜図５Ｃは、ボックスの底部に対応する中央セクションを有する３つにセクション化されたパッドを示しているが、これは必要ではない。中央セクションは、ボックスの側壁部のうちの１つまたは上部に対応することが可能である。
【００８２】
ボックスのそれぞれの壁部には個々のパッドまたはパッドのセクションが設けられているという条件で、パッド３０に関してさらなる構成も可能である。たとえば、３つの２つにセクション化されたパッドが存在するか、または、３つにセクション化されたパッド、２つにセクション化されたパッド、および個々のパッドが存在することが可能である。
【００８３】
そのうえ、ボックス２０の内側にフィットし、ボックス２０のすべての６つの側面をカバーする、単一のパッド１００だけが存在することが可能である。たとえば、図６は、折り畳まれていない構成のパッド１００の概略的な上面図であり、図６は、単一の６つにセクション化されたパッドを図示している。この６つにセクション化されたパッド１００を製作するために、パネルは、「十字形状」で、または、折り畳まれたときにボックス２０の直方体の側面に対応する別の形状で、形成され得る。パネルは、上記に議論されているように、２つのシートの間に挟まれており、縁部は、パネルの周囲の近くを走る経路に沿ってシールされる。シートの余剰の材料は切り取られ得る。パネルは、パネルを６つのセクションに分割するために、５つの場所においてカット５６によって刻み目を付けられ得る。刻み目は、パネルが折り畳まれるのに必要な位置に対応しており、それぞれのセクションがボックス２０の側面のうちの１つに対応するようになっている。図６に示されている実装形態は、立方体のボックスのためのものであるが、これは必要ではない。
【００８４】
図６の例は、より少ないギャップに起因して、改善された良好な断熱を提供することが可能であり、また、それぞれのボックスに関して単一のパッドだけを有するという顧客にとっての利便性が存在し得る。他方では、この構成は、扱いにくいフォームファクターを有する可能性がある。
【００８５】
断熱された輸送用コンテナ１０を形成するボックス２０および１つまたは複数のパッド３０は、組み立て式のキットとして提供され得、顧客によって組み立てられ得る。たとえば、ボックス２０およびパッド３０は、収縮包装され得るか、または、そうでなければ、パッケージングの中に一緒にシールされ得る。
【００８６】
上記に議論されているさまざまな例のいずれかにおいて、１つまたは複数のアパーチャー（たとえば、直径で約１／８インチから５インチ）が、ボックス２０により近いパッド３０の側（それは、輸送されていることとなる品物がその中に位置決めされることとなるキャビティーの反対の側である）のフィルム６０を通して形成され得る。これらのアパーチャーは、輸送されていることとなる品物がその中に位置決めされることとなるキャビティーに面する側には存在していない。パッド３０のその側のフィルム６０は、破壊されていない。アパーチャーは、パッドがボックスの中へ挿入されるときに、ポケットがバルーンのように作用することを防止することが可能であり、フィルム６０は、パネルの主要表面に対抗してつぶれることが可能である。
【００８７】
いくつかの実装形態では、パッドは、フィルムによって形成されたポケットの中に１つのパネルだけを含む。しかし、図７Ａおよび図７Ｂを参照すると、断面側面図は、いくつかの実装形態では、パッド３０は、複数のパネル５０を含む。パネル５０は、それらの厚さ方向に沿ってスタックされており、サイド−バイ−サイドには配置されていない。これは、より厚いパッド３０の製作を可能にし、したがって、断熱能力を向上させる。たとえば、これは、パッドの合計の厚さが約１〜４インチになることを可能にする。それに加えて、サイド−バイ−サイドのパネルに伴って起こることとなる、パネル同士の間のギャップを回避することは、断熱を改善させることが可能である。図７Ａに示されている例では、３つのパネル５０ａ、５０ｂ、および５０ｃが存在しているが、２つだけのパネル、または、４つ以上のパネルが存在することも可能である。
【００８８】
マルチセクションパネルに関して、パネル５０が刻み目を付けられているときに、刻み目５６を付けることは、（パネルをカットするということよりもむしろ）ラインに沿ってパネルのスタックを圧縮することによって実施され得る。結果として、刻み目を付けられた領域において、パネルのうちのいくつかは、下にあるパネルの中へ部分的に押し込まれ得る。
【００８９】
パネル５０がマルチセクションパネルである場合には、パッドのそれぞれの端部におけるセクションは、直下のセクションよりも短くなっており、パネルの端部が実質的に整合させられるように、スタッキング配置を補償することが可能である。たとえば、図７Ａに示されているように、セクション５２ｂ１は、下にあるセクション５２ａ１よりも短くなっている。それに加えて、それぞれのパッドの端部におけるセクションの端部は、所定の角度でカットされ得る。たとえば、図７Ａに示されているように、セクション５２ａ１および５２ｂ１の端部は、所定の角度、たとえば、４５°の角度でカットされ得る。したがって、図７Ｂに示されているように、マルチセクションパネルが内向きに折り畳まれ、たとえば、Ｕ字形状のパッドを形成するときに、パネル５０の端部が整合する。
【００９０】
上記に議論されているさまざまな実装形態において、個々のパッド３０は、ボックス２０のキャビティーの中に挿入されているときに、互いの上に置かれることとなる。しかし、パッド３０は、互いに固定されておらず、たとえば、パッドは、接着剤またはインターロッキングコンポーネントによって、互いに固定されてはいない。
【００９１】
いくつかの実装形態では、ソリッドで堆肥化可能なパネルが使用され得るが、パネルを防水フィルムによって封入するかまたはコーティングすることなく使用され得る。図８は、断熱された輸送用コンテナ１０の別の実装形態する例の分解斜視図である。輸送用コンテナ１０は、リサイクル可能なボックス２０、および、複数の断熱性の堆肥化可能なパネル５０を含み、複数の断熱性の堆肥化可能なパネル５０は、ボックス２０の内部キャビティー２２の内側にフィットする。ボックス２０の中に位置決めされているときに、パネル５０が内部スペースを提供し、品物および随意的に冷却剤、たとえば、氷、ドライ・アイス、またはゲルパックなどを受け入れるように、パネル５０は形状決めされている。
【００９２】
随意的に、リサイクル可能な内部ボックス９０、たとえば、段ボール箱が、パネル５０の内部によって画定されるスペースの中へフィットすることが可能である。このケースでは、内部ボックス９０の内部キャビティーは、品物および随意的に冷却剤を受け入れるためのスペースを提供する。内部ボックス９０は、追加的な断熱を提供することが可能であり、また、たとえば、冷却剤によって引き起こされる凝縮液など、水からパネルを保護することが可能である。しかし、上述のように、品物および冷却剤は、内部ボックスを使用することなく、内部スペースの中へ設置され得る。
【００９３】
それぞれのパネル５０は、上記に議論されているように製作され得、たとえば、押し出し加工された粉砕されたモロコシから主に形成され得、堆肥化可能であるようになっている。しかし、パネルは、防水フィルムによってコーティングされておらず、防水フィルムの中に封入されておらず、または、その他の方法で、防水フィルムによって保護されていない。むしろ、パネル５０は、簡単に、ボックスの中のキャビティー２２の中へ挿入されている。パネル５０のうちの１つまたは複数は、マルチセクションパネルであることが可能であり、マルチセクションパネルは、上記に議論されているさまざまな実装形態に議論されているように、刻み目を付けられており、次いで、直角で折り畳まれ、複数の長方形プレートを提供する。
【００９４】
図１に示されている実装形態では、断熱パネル５０は、底部パネル８２、カラー８４、および上部パッド８６を含む。
【００９５】
底部パネル８２は、ボックス２０の底部にマッチするか、または、たとえば、約１／８インチの公差だけわずかに小さくなっている、長さおよび幅を有しており、底部パネル８２が、ボックス２０の底部の上のキャビティー２２の底部にぴったりフィットするようになっている。
【００９６】
カラー８４は、４つの長方形プレートへと折り畳まれる単一のパネルを含む。４つの長方形プレートは、４つの壁部部材４０を提供しており、４つの壁部部材４０は、防水フィルムがないことを除いて、図１に関して議論されている壁部部材と同等である。それぞれの壁部部材４０は、上部パネル８２および底部パネル８６の組み合わせた厚さよりも小さい、ボックス２０の高さにおおよそ等しい（垂直方向の）高さを有している。それぞれの壁部部材４０は、ボックス２０の隣接する側壁部２４にマッチするか、または、たとえば、約１／８インチ公差だけわずかに小さくなっている、（横方向の）幅を有している。したがって、カラー８４は、底部パネル８２の上でキャビティー２２の中へしっかりとフィットし、それぞれの壁部部材４０が、側壁部２４のうちの１つに隣接した状態に、たとえば、接触した状態になっている。
【００９７】
上部パネル８６は、ボックス２０の上部にマッチするか、または、たとえば、約１／８インチ公差だけわずかに小さくなっている、長さおよび幅を有しており、上部パネル８６の周囲がカラー８４の壁部部材４０の上に座ることができるようになっており、上部パネル８６自身がキャビティー２２の上部にしっかりとフィットするようになっている。
【００９８】
図８は、図１および図２Ａ〜図２Ｇのパッド３０の構成と同様であるパネル５０に関する構成を図示しているが、パネルに関する他の構成、たとえば、図３Ａ〜図３Ｉ、図４Ａ〜図４Ｄ、図５Ａ〜図５Ｈ、または図６に示されているものと同等のものも可能である。同様に、複数のパネル５０は、繰り返しになるが、防水フィルムがない状態で、たとえば、図７Ａ〜図７Ｂに図示されているようにスタックされ得る。
【００９９】
粉砕されたモロコシが上記に議論されているが、上述のように、コーンスターチまたは小麦スターチなどのような、穀物スターチからパネルを形成することが可能であり得る。しかし、モロコシは、コーンスターチよりも優れた断熱を提供することができるという点で、一般的に優れている。それに加えて、粉砕されたモロコシの微粒子は、押し出し加工により適している可能性がある。
【０１００】
図９を参照すると、いくつかの実装形態では、複数のパネルが接合されることなくスタックされ得るが、複数のパネル５０が一緒にスタックされてラミネート加工されることも可能である。これは、結果として生じるパネルの合計の厚さを、たとえば、１インチから３インチの厚さまで増加させることが可能である。スタックされたパネルは、堆肥化可能な接着剤１００の薄い層によって接合され得る。
【０１０１】
「上部」、「底部」、「垂直方向」、および「横方向」などのような、さまざまな用語が使用されているが、これらの用語は、ボックス２０の開口部が上部にあるという仮定の下で、コンポーネントの相対的な位置決めを示しており、必ずしも、重力に対する配向を示しているわけではなく、使用時に、または、組み立ての間にも、コンテナ１０は、その側面の上に置かれることも、または、重力に対して上下逆さまになることも可能であるということが理解されるべきである。「わずかな」という用語は、約５％以下、たとえば、２％以下を示している。
【０１０２】
複数の実施形態が説明されてきた。それにもかかわらず、さまざまな修正が、本発明の精神および範囲から逸脱することなく行われ得るということが理解されることとなる。したがって、他の実施形態も、以下の特許請求の範囲の中にある。
【図１】
2019518681.tif 000003
【図２Ａ】
2019518681.tif 000004
【図２Ｂ】
2019518681.tif 000005
【図２Ｃ】
2019518681.tif 000006
【図２Ｄ】
2019518681.tif 000007
【図２Ｅ】
2019518681.tif 000008
【図２Ｆ】
2019518681.tif 000009
【図２Ｇ】
2019518681.tif 000010
【図３Ａ】
2019518681.tif 000011
【図３Ｂ】
2019518681.tif 000012
【図３Ｃ】
2019518681.tif 000013
【図３Ｄ】
2019518681.tif 000014
【図３Ｅ】
2019518681.tif 000015
【図３Ｆ】
2019518681.tif 000016
【図３Ｇ】
2019518681.tif 000017
【図３Ｈ】
2019518681.tif 000018
【図３Ｉ】
2019518681.tif 000019
【図４Ａ】
2019518681.tif 000020
【図４Ｂ】
2019518681.tif 000021
【図４Ｃ】
2019518681.tif 000022
【図４Ｄ】
2019518681.tif 000023
【図５Ａ】
2019518681.tif 000024
【図５Ｂ】
2019518681.tif 000025
【図５Ｃ】
2019518681.tif 000026
【図５Ｄ】
2019518681.tif 000027
【図５Ｅ】
2019518681.tif 000028
【図５Ｆ】
2019518681.tif 000029
【図５Ｇ】
2019518681.tif 000030
【図５Ｈ】
2019518681.tif 000031
【図６】
2019518681.tif 000032
【図７Ａ】
2019518681.tif 000033
【図７Ｂ】
2019518681.tif 000034
【図８】
2019518681.tif 000035
【図９】
2019518681.tif 000036
【国際調査報告】
2019518681.tif 000037
2019518681.tif 000038